(57)【特許請求の範囲】
【請求項１】
電解質の両側に一対の電極が設けられる電解質・電極構造体とセパレータとが積層されるとともに、積層方向両端に長方形状のエンドプレートが配設される燃料電池スタックであって、
前記燃料電池スタックの互いに対向する長辺側の２辺には、それぞれ積層方向に連通して冷却媒体を流通させる一対の冷却媒体供給連通孔と一対の冷却媒体排出連通孔とが設けられ、
一方のエンドプレートには、前記一対の冷却媒体供給連通孔に連通し、前記２辺に沿って長尺な一対の供給マニホールド部と、
前記一対の供給マニホールド部同士を連結する供給連結部と、
が設けられるとともに、
一方の供給マニホールド部の長手方向一端部には、前記積層方向から傾斜する方向に向かって冷却媒体供給配管が連結されることを特徴とする燃料電池スタック。
【請求項２】
請求項１記載の燃料電池スタックにおいて、前記電解質・電極構造体と前記セパレータとは、立位姿勢で水平方向に積層されており、
前記一対の供給マニホールド部は、鉛直方向に長尺に配設されるとともに、
前記供給連結部は、前記一対の供給マニホールド部の上部に連結され、
前記一方の供給マニホールド部の下方端部には、鉛直方向から水平方向に傾斜し、前記冷却媒体を斜め下方から供給する前記冷却媒体供給配管の端部が連結されることを特徴とする燃料電池スタック。
【請求項３】
請求項１記載の燃料電池スタックにおいて、前記電解質・電極構造体と前記セパレータとは、立位姿勢で水平方向に積層されており、
前記一対の供給マニホールド部は、鉛直方向に長尺に配設されるとともに、
前記供給連結部は、前記一対の供給マニホールド部の下部に連結され、
前記一方の供給マニホールド部の上方端部には、鉛直方向から水平方向に傾斜し、前記冷却媒体を斜め上方から供給する前記冷却媒体供給配管の端部が連結されることを特徴とする燃料電池スタック。
【請求項４】
請求項１〜３のいずれか１項に記載の燃料電池スタックにおいて、前記一方のエンドプレートには、前記冷却媒体排出連通孔に連通する一対の排出マニホールド部と、
前記一対の排出マニホールド部同士を連結する排出連結部と、
が設けられるとともに、
一方の排出マニホールド部には、前記積層方向に延在する冷却媒体排出配管が連結されることを特徴とする燃料電池スタック。
【発明の詳細な説明】
【技術分野】
【０００１】
本発明は、電解質の両側に一対の電極が設けられる電解質・電極構造体とセパレータとが積層されるとともに、積層方向両端に長方形状のエンドプレートが配設される燃料電池スタックに関する。
【背景技術】
【０００２】
例えば、固体高分子型燃料電池は、高分子イオン交換膜からなる電解質膜の両側に、それぞれアノード側電極及びカソード側電極を配設した電解質膜・電極構造体（ＭＥＡ）を、一対のセパレータによって挟持した単位セルを備えている。この種の燃料電池は、通常、所定の数の単位セルを積層することにより、例えば、車載用燃料電池スタックとして使用されている。
【０００３】
この種の燃料電池スタックでは、単位セルの積層方向に貫通して燃料ガスを流すための燃料ガス供給連通孔及び燃料ガス排出連通孔と、酸化剤ガスを流すための酸化剤ガス供給連通孔及び酸化剤ガス排出連通孔と、冷却媒体を流すための冷却媒体供給連通孔及び冷却媒体排出連通孔とを内部に備える、所謂、内部マニホールド型燃料電池を構成する場合が多い。
【０００４】
内部マニホールド型燃料電池に関連する技術として、例えば、特許文献１が知られている。この特許文献１は、電解質の両側に一対の電極が設けられる電解質・電極構造体とセパレータとが積層されるとともに、積層方向両端に長方形状のエンドプレートが配設される燃料電池スタックに関するものである。
【０００５】
燃料電池スタックの互いに対向する長辺側の２辺には、それぞれ積層方向に連通して冷却媒体を流通させる一対の冷却媒体供給連通孔と一対の冷却媒体排出連通孔とが設けられている。そして、一方のエンドプレートには、少なくとも一対の冷却媒体供給連通孔又は一対の冷却媒体排出連通孔のいずれかに連通する一対のマニホールド部と、前記一対のマニホールド部同士を連結し且つ長辺側に沿う幅寸法が前記一対のマニホールド部の寸法よりも小さく設定される連結部とが設けられている。
【０００６】
これにより、マニホールド内に流入する冷却媒体の圧損の増加を有効に抑制することができ、前記冷却媒体を円滑且つ均一に燃料電池に供給流通させることが可能になる、としている。
【先行技術文献】
【特許文献】
【０００７】
【特許文献１】特開２０１１−５４４２５号公報
【発明の概要】
【発明が解決しようとする課題】
【０００８】
本発明はこの種の内部マニホールド型燃料電池に関連してなされたものであり、特にマニホールド内の圧損を可及的に低減させることができ、冷却媒体を円滑且つ均一に燃料電池に供給流通させることが可能な燃料電池スタックを提供することを目的とする。
【課題を解決するための手段】
【０００９】
本発明は、電解質の両側に一対の電極が設けられる電解質・電極構造体とセパレータとが積層されるとともに、積層方向両端に長方形状のエンドプレートが配設される燃料電池スタックに関するものである。
【００１０】
この燃料スタックでは、前記燃料電池スタックの互いに対向する長辺側の２辺には、それぞれ積層方向に連通して冷却媒体を流通させる一対の冷却媒体供給連通孔と一対の冷却媒体排出連通孔とが設けられている。
【００１１】
そして、一方のエンドプレートには、一対の冷却媒体供給連通孔に連通し、２辺に沿って長尺な一対の供給マニホールド部と、前記一対の供給マニホールド部同士を連結する供給連結部とが設けられるとともに、一方の供給マニホールド部の長手方向一端部には、積層方向から傾斜する方向に向かって冷却媒体供給配管が連結されている。
【００１２】
また、この燃料電池スタックでは、電解質・電極構造体とセパレータとは、立位姿勢で水平方向に積層されており、一対の供給マニホールド部は、鉛直方向に長尺に配設されるとともに、供給連結部は、前記一対の供給マニホールド部の上部に連結され、一方の供給マニホールド部の下方端部には、鉛直方向から水平方向に傾斜し、冷却媒体を斜め下方から供給する冷却媒体供給配管の端部が連結されることが好ましい。
【００１３】
さらに、この燃料電池スタックでは、電解質・電極構造体とセパレータとは、立位姿勢で水平方向に積層されており、一対の供給マニホールド部は、鉛直方向に長尺に配設されるとともに、供給連結部は、前記一対の供給マニホールド部の下部に連結され、一方の供給マニホールド部の上方端部には、鉛直方向から水平方向に傾斜し、冷却媒体を斜め上方から供給する冷却媒体供給配管の端部が連結されることが好ましい。
【００１５】
また、この燃料電池スタックでは、一方のエンドプレートには、冷却媒体排出連通孔に連通する一対の排出マニホールド部と、前記一対の排出マニホールド部同士を連結する排出連結部とが設けられるとともに、一方の排出マニホールド部には、積層方向に延在する冷却媒体排出配管が連結されることが好ましい。
【発明の効果】
【００１６】
本発明によれば、一方の供給マニホールド部の長手方向一端部には、積層方向から傾斜する方向に向かって冷却媒体供給配管が連結されている。従って、冷却媒体は、一方の供給マニホールド部に積層方向に対して傾斜する方向から供給されるため、前記一方の供給マニホールド部内に流入する前記冷却媒体の圧損を可及的に低減させることができる。これにより、簡単な構成で、冷却媒体を円滑且つ均一に燃料電池に供給流通させることが可能になる。
【図面の簡単な説明】
【００１７】
【図１】本発明の第１の実施形態に係る燃料電池スタックの概略斜視説明図である。
【図２】前記燃料電池スタックを構成する燃料電池の分解斜視説明図である。
【図３】前記燃料電池スタックを構成する第１エンドプレートの正面説明図である。
【図４】前記第１エンドプレートの側面説明図である。
【図５】比較例１の側面説明図である。
【図６】比較例２の側面説明図である。
【図７】比較例１、比較例２及び第１の実施形態の各マニホールド部の圧損を比較する図である。
【図８】本発明に関連する燃料電池スタックの概略斜視説明図である。
【図９】本発明の第２の実施形態に係る燃料電池スタックの概略斜視説明図である。
【発明を実施するための形態】
【００１８】
図１に示すように、本発明の第１の実施形態に係る燃料電池スタック１０は、燃料電池１２を備え、複数の前記燃料電池１２を水平方向（矢印Ａ方向）又は鉛直方向（矢印Ｃ方向）に沿って互いに積層して構成される。
【００１９】
燃料電池１２の積層方向一端には、第１ターミナルプレート１４ａ、第１絶縁プレート１６ａ及び第１エンドプレート１８ａが積層される一方、積層方向他端には、第２ターミナルプレート１４ｂ、第２絶縁プレート１６ｂ及び第２エンドプレート１８ｂが積層される。
【００２０】
長方形状に構成される第１エンドプレート１８ａ及び第２エンドプレート１８ｂは、矢印Ａ方向に延在する複数のタイロッド１９により一体的に締め付け保持される。なお、燃料電池スタック１０は、第１エンドプレート１８ａ及び第２エンドプレート１８ｂを端板として含む箱状ケーシング（図示せず）により一体的に保持されてもよい。
【００２１】
図２に示すように、燃料電池１２は、電解質膜・電極構造体２０が、第１及び第２セパレータ２２、２４に挟持される。第１及び第２セパレータ２２、２４は、例えば、カーボンセパレータの他、鋼板、ステンレス鋼板、アルミニウム板、あるいはめっき処理鋼板等の金属セパレータにより構成される。
【００２２】
燃料電池１２の矢印Ｃ方向（図２中、重力方向）の上端縁部には、積層方向である矢印Ａ方向に互いに連通して、酸化剤ガス、例えば、酸素含有ガスを供給するための酸化剤ガス供給連通孔２６ａ、及び燃料ガス、例えば、水素含有ガスを供給するための燃料ガス供給連通孔２８ａが、矢印Ｂ方向（水平方向）に配列して設けられる。
【００２３】
燃料電池１２の矢印Ｃ方向の下端縁部には、矢印Ａ方向に互いに連通して、酸化剤ガスを排出するための酸化剤ガス排出連通孔２６ｂ、及び燃料ガスを排出するための燃料ガス排出連通孔２８ｂが、矢印Ｂ方向に配列して設けられる。
【００２４】
燃料電池１２の矢印Ｂ方向の両端縁部（長辺側の２辺）には、冷却媒体を供給するための一対の冷却媒体供給連通孔３０ａ、及び前記冷却媒体を排出するための一対の冷却媒体排出連通孔３０ｂが、例えば、それぞれ上下に設けられる。なお、各冷却媒体供給連通孔３０ａ及び各冷却媒体排出連通孔３０ｂは、それぞれ上下に２以上に分割されていてもよい。
【００２５】
第１セパレータ２２の電解質膜・電極構造体２０に向かう面２２ａには、酸化剤ガス供給連通孔２６ａと酸化剤ガス排出連通孔２６ｂとに連通する酸化剤ガス流路３２が設けられる。
【００２６】
第２セパレータ２４の電解質膜・電極構造体２０に向かう面２４ａには、燃料ガス供給連通孔２８ａと燃料ガス排出連通孔２８ｂとに連通する燃料ガス流路３４が設けられる。
【００２７】
互いに隣接する燃料電池１２を構成する第１セパレータ２２の面２２ｂと、第２セパレータ２４の面２４ｂとの間には、一対の冷却媒体供給連通孔３０ａと一対の冷却媒体排出連通孔３０ｂとを連通する冷却媒体流路３６が設けられる。一対の冷却媒体供給連通孔３０ａは、同一の開口面積を有する一方、一対の冷却媒体排出連通孔３０ｂは、同一の開口面積を有する。各冷却媒体供給連通孔３０ａと冷却媒体流路３６とは、連通路３８ａを介して連通するとともに、各冷却媒体排出連通孔３０ｂと前記冷却媒体流路３６とは、連通路３８ｂを介して連通する。
【００２８】
第１セパレータ２２の面２２ａ、２２ｂには、第１シール部材４０ａが、一体的に又は個別に設けられるとともに、第２セパレータ２４の面２４ａ、２４ｂには、第２シール部材４０ｂが、一体的に又は個別に設けられる。
【００２９】
電解質膜・電極構造体２０は、例えば、パーフルオロスルホン酸の薄膜に水が含浸された固体高分子電解質膜４２と、前記固体高分子電解質膜４２を挟持するカソード側電極４４及びアノード側電極４６とを備える。
【００３０】
カソード側電極４４及びアノード側電極４６は、カーボンペーパ等からなるガス拡散層（図示せず）と、白金合金が表面に担持された多孔質カーボン粒子が前記ガス拡散層の表面に一様に塗布されて形成される電極触媒層（図示せず）とを有する。電極触媒層は、固体高分子電解質膜４２の両面に形成されている。
【００３１】
図１に示すように、第１エンドプレート１８ａの外面側には、上部側に冷却媒体供給マニホールド５０が設けられるとともに、下部側に冷却媒体排出マニホールド５２が設けられる。冷却媒体供給マニホールド５０及び冷却媒体排出マニホールド５２は、下方に開口する略コ字状を有する。
【００３２】
なお、第１エンドプレート１８ａ側に、例えば、冷却媒体供給マニホールド５０を設ける一方、第２エンドプレート１８ｂ側に、例えば、冷却媒体排出マニホールド５２を設けてもよい。また、上記とは逆の構成でもよい。
【００３３】
図１及び図３に示すように、冷却媒体供給マニホールド５０は、第１エンドプレート１８ａの一対の冷却媒体供給連通孔３０ａ、３０ａに連通する一対の供給マニホールド部５４ａ、５４ａと、前記一対の供給マニホールド部５４ａ、５４ａの上部側同士を連結するとともに、長辺方向（矢印Ｃ方向）に沿う幅寸法Ｗ１が、前記一対の供給マニホールド部５４ａ、５４ａの寸法よりも小さく設定される供給連結部５６ａとを備える。
【００３４】
供給マニホールド部５４ａ、５４ａは、第１エンドプレート１８ａの長辺方向（矢印Ｃ方向）に沿って長尺な直方体形状を有している。一方の供給マニホールド部５４ａには、第１エンドプレート１８ａの外部に延在する冷却媒体供給配管５８ａが別体（又は一体）に設けられる。この冷却媒体供給配管５８ａは、図示しない冷却媒体供給部に連通する。
【００３５】
図４に示すように、冷却媒体供給配管５８ａは、一方の供給マニホールド部５４ａの下方端部に、鉛直方向から水平方向に所定の角度θ°（例えば、１０°〜４０゜）だけ傾斜して連結される。冷却媒体供給配管５８ａは、冷却媒体を一方の供給マニホールド部５４ａ内に斜め下方から供給する。
【００３６】
図１及び図３に示すように、冷却媒体排出マニホールド５２は、第１エンドプレート１８ａの一対の冷却媒体排出連通孔３０ｂ、３０ｂに連通する一対の排出マニホールド部５４ｂ、５４ｂと、前記一対の排出マニホールド部５４ｂ、５４ｂの上部側同士を連結するとともに、長辺方向（矢印Ｃ方向）に沿う幅寸法Ｗ２が、前記一対の排出マニホールド部５４ｂ、５４ｂの寸法よりも小さく設定される排出連結部５６ｂとを備える。
【００３７】
排出マニホールド部５４ｂ、５４ｂは、第１エンドプレート１８ａの長辺方向（矢印Ｃ方向）に沿って長尺な直方体形状を有している。一方の供給マニホールド部５４ａと対角位置に位置する一方の排出マニホールド部５４ｂには、第１エンドプレート１８ａの外部に延在する冷却媒体排出配管５８ｂが別体（又は一体）に設けられる。この冷却媒体排出配管５８ｂは、一方の排出マニホールド部５４ｂの中央部位から水平方向（矢印Ａ方向）に延在している。
【００３８】
第２エンドプレート１８ｂには、図示しないが、酸化剤ガス供給連通孔２６ａ、酸化剤ガス排出連通孔２６ｂ、燃料ガス供給連通孔２８ａ及び燃料ガス排出連通孔２８ｂに対応して、それぞれマニホールドが設けられる。
【００３９】
このように構成される燃料電池スタック１０の動作について、以下に説明する。
【００４０】
先ず、第２エンドプレート１８ｂでは、酸化剤ガス供給連通孔２６ａに酸素含有ガス等の酸化剤ガスが供給されるとともに、燃料ガス供給連通孔２８ａに水素含有ガス等の燃料ガスが供給される。
【００４１】
さらに、図１に示すように、第１エンドプレート１８ａでは、冷却媒体供給配管５８ａから冷却媒体供給マニホールド５０内に純水やエチレングリコール、オイル等の冷却媒体が供給される。この冷却媒体の一部分は、冷却媒体供給配管５８ａが設けられる一方の供給マニホールド部５４ａから冷却媒体供給連通孔３０ａに供給されるとともに、前記冷却媒体の残余の部分は、供給連結部５６ａを通って他方の供給マニホールド部５４ａから冷却媒体供給連通孔３０ａに供給される。
【００４２】
このため、図２に示すように、酸化剤ガスは、酸化剤ガス供給連通孔２６ａから第１セパレータ２２の酸化剤ガス流路３２に導入される。この酸化剤ガスは、酸化剤ガス流路３２に沿って矢印Ｃ方向（重力方向）に移動し、電解質膜・電極構造体２０のカソード側電極４４に供給される。
【００４３】
一方、燃料ガスは、燃料ガス供給連通孔２８ａから第２セパレータ２４の燃料ガス流路３４に導入される。この燃料ガスは、燃料ガス流路３４に沿って重力方向（矢印Ｃ方向）に移動し、電解質膜・電極構造体２０のアノード側電極４６に供給される。
【００４４】
従って、電解質膜・電極構造体２０では、カソード側電極４４に供給される酸化剤ガスと、アノード側電極４６に供給される燃料ガスとが、電極触媒層内で電気化学反応により消費されて発電が行われる。
【００４５】
次いで、電解質膜・電極構造体２０のカソード側電極４４に供給されて消費された酸化剤ガスは、酸化剤ガス排出連通孔２６ｂに沿って矢印Ａ方向に排出される。電解質膜・電極構造体２０のアノード側電極４６に供給されて消費された燃料ガスは、燃料ガス排出連通孔２８ｂに沿って矢印Ａ方向に排出される。
【００４６】
一方、２つの冷却媒体供給連通孔３０ａ、３０ａに供給された冷却媒体は、第１セパレータ２２と第２セパレータ２４との間に形成された冷却媒体流路３６に導入される。この冷却媒体は、矢印Ｃ方向に移動して電解質膜・電極構造体２０を冷却した後、２つの冷却媒体排出連通孔３０ｂ、３０ｂから冷却媒体排出マニホールド５２の一対の排出マニホールド部５４ｂ、５４ｂに排出される。
【００４７】
図１に示すように、一方の排出マニホールド部５４ｂに排出された冷却媒体は、直接、冷却媒体排出配管５８ｂを介して外部に排出される。他方の排出マニホールド部５４ｂに排出された冷却媒体は、排出連結部５６ｂを通って一方の排出マニホールド部５４ｂに流入した後、冷却媒体排出配管５８ｂを介して外部に排出される。
【００４８】
この場合、第１の実施形態では、図４に示すように、冷却媒体供給配管５８ａは、一方の供給マニホールド部５４ａの下方端部に、鉛直方向から水平方向に所定の角度θ°（例えば、１０°〜４０゜）だけ傾斜して連結されている。このため、冷却媒体は、冷却媒体供給配管５８ａ内を流通して一方の供給マニホールド部５４ａ内に斜め下方から供給されている。
【００４９】
従って、一方の供給マニホールド部５４ａ内に流入する冷却媒体の圧損を可及的に低減させることができる。これにより、簡単な構成で、冷却媒体を円滑且つ均一に燃料電池スタック１０に供給流通させることが可能になるという効果が得られる。
【００５０】
具体的には、図５に示す比較例１では、一方の供給マニホールド部５４ａの高さ方向の略中央部に積層方向（水平方向）に延在して冷却媒体供給配管５８ａ１が連結されている。
【００５１】
また、図６に示す比較例２では、一方の供給マニホールド部５４ａの高さ方向の略中央部に冷却媒体供給配管５８ａ２が連結されている。この冷却媒体供給配管５８ａ２は、鉛直方向Ｖから水平方向に角度α゜だけ傾斜するとともに、端部が積層方向（水平方向）に屈曲して一方の供給マニホールド部５４ａに連結されている。
【００５２】
図７には、一方の供給マニホールド部５４ａ内での圧損が示されており、比較例１及び比較例２に対して、第１の実施形態では、圧損が大幅に低減されている。しかも、一対の冷却媒体供給連通孔３０ａに対する冷却媒体の分配性は、第１の実施形態では、比較例１及び比較例２に比べて良好に向上している。
【００５３】
図８は、本発明に関連する燃料電池スタック７０の概略斜視説明図である。
【００５４】
なお、第１の実施形態に係る燃料電池スタック１０と同一の構成要素には、同一の参照符号を付して、その詳細な説明は省略する。また、以下に説明する第２の実施形態においても同様に、その詳細な説明は省略する。
【００５５】
燃料電池スタック７０は、第１エンドプレート１８ａの外面側に設けられる冷却媒体供給マニホールド７２及び冷却媒体排出マニホールド７４を備える。冷却媒体供給マニホールド７２及び冷却媒体排出マニホールド７４は、略Ｈ字状を有する。
【００５６】
冷却媒体供給マニホールド７２は、第１エンドプレート１８ａの一対の冷却媒体供給連通孔３０ａ、３０ａに連通する一対の縦長形状の供給マニホールド部７６ａ、７６ａと、一対の前記供給マニホールド部７６ａ、７６ａの略中間位置同士を連結し且つ長辺方向（矢印Ｃ方向）に沿う幅寸法が、一対の前記供給マニホールド部７６ａ、７６ａよりも小さく設定される供給連結部７８ａとを備える。一方の供給マニホールド部７６ａには、第１エンドプレート１８ａの外部に延在する冷却媒体供給配管８０ａが設けられる。
【００５７】
冷却媒体供給配管８０ａは、一方の供給マニホールド部７６ａの中央部に、積層方向から水平方向外方に傾斜して連結される。水平方向外方とは、供給マニホールド部７６ａに対して積層方向（矢印Ａ方向）から供給連結部７８ａとは反対方向に傾斜する方向をいう。冷却媒体供給配管８０ａは、冷却媒体を一方の供給マニホールド部７６ａ内に斜め側方から供給する。
【００５８】
冷却媒体排出マニホールド７４は、第１エンドプレート１８ａの一対の冷却媒体排出連通孔３０ｂ、３０ｂに連通する一対の排出マニホールド部７６ｂ、７６ｂと、一対の前記排出マニホールド部７６ｂ、７６ｂの略中間位置同士を連結し且つ長辺方向（矢印Ｃ方向）に沿う幅寸法が、一対の前記排出マニホールド部７６ｂ、７６ｂよりも小さく設定される排出連結部７８ｂとを備える。
【００５９】
排出マニホールド部７６ｂには、冷却媒体供給配管８０ａと対角位置に、第１エンドプレート１８ａの外部に延在する冷却媒体排出配管８０ｂが設けられる。この冷却媒体排出配管８０ｂは、一方の排出マニホールド部７６ｂの中央部位から水平方向（積層方向）に延在している。
【００６０】
このように構成される燃料電池スタック７０では、冷却媒体供給配管８０ａは、一方の供給マニホールド部７６ａの中央部には、積層方向から水平方向外方に傾斜して連結されている。このため、冷却媒体は、冷却媒体供給配管８０ａ内を流通して一方の供給マニホールド部７６ａ内に斜め側方から供給されている。
【００６１】
従って、一方の供給マニホールド部７６ａ内に流入する冷却媒体の圧損を可及的に低減させることができる。これにより、簡単な構成で、冷却媒体を円滑且つ均一に燃料電池スタック７０に供給流通させることが可能になる等、上記の第１の実施形態と同様の効果が得られる。
【００６２】
図９は、本発明の第２の実施形態に係る燃料電池スタック９０の概略斜視説明図である。
【００６３】
燃料電池スタック９０は、第１エンドプレート１８ａの外面側に設けられる冷却媒体供給マニホールド９２及び冷却媒体排出マニホールド９４を備える。冷却媒体供給マニホールド９２及び冷却媒体排出マニホールド９４は、上方に開口する略コ字状を有する。
【００６４】
冷却媒体供給マニホールド９２は、第１エンドプレート１８ａの一対の冷却媒体供給連通孔３０ａ、３０ａに連通する一対の縦長形状の供給マニホールド部９６ａ、９６ａと、一対の前記供給マニホールド部９６ａ、９６ａの下部側同士を連結し且つ長辺方向に沿う幅寸法が、一対の前記供給マニホールド部９６ａ、９６ａよりも小さく設定される供給連結部９８ａとを備える。一方の供給マニホールド部９６ａには、第１エンドプレート１８ａの外部に延在する冷却媒体供給配管１００ａが別体（又は一体）に設けられる。
【００６５】
冷却媒体供給配管１００ａは、一方の供給マニホールド部９６ａの上方端部に、鉛直方向から水平方向に傾斜して連結される。冷却媒体供給配管１００ａは、冷却媒体を一方の供給マニホールド部９６ａ内に斜め上方から供給する。
【００６６】
冷却媒体排出マニホールド９４は、第１エンドプレート１８ａの一対の冷却媒体排出連通孔３０ｂ、３０ｂに連通する一対の排出マニホールド部９６ｂ、９６ｂと、一対の前記排出マニホールド部９６ｂ、９６ｂの下部側同士を連結し且つ長辺方向に沿う幅寸法が、一対の前記排出マニホールド部９６ｂ、９６ｂよりも小さく設定される排出連結部９８ｂとを備える。
【００６７】
排出マニホールド部９６ｂには、冷却媒体供給配管１００ａと対角位置に、第１エンドプレート１８ａの外部に延在する冷却媒体排出配管１００ｂが設けられる。この冷却媒体排出配管１００ｂは、一方の排出マニホールド部９６ｂの中央部位から水平方向（積層方向）に延在している。
【００６８】
このように構成される第２の実施形態では、冷却媒体供給配管１００ａは、一方の供給マニホールド部９６ａの上方端部に、鉛直方向から水平方向に傾斜して連結されている。このため、冷却媒体は、冷却媒体供給配管１００ａ内を流通して一方の供給マニホールド部９６ａ内に斜め上方から供給されている。
【００６９】
従って、一方の供給マニホールド部９６ａ内に流入する冷却媒体の圧損を可及的に低減させることができる。これにより、簡単な構成で、冷却媒体を円滑且つ均一に燃料電池スタック９０に供給流通させることが可能になる等、上記の第１の実施形態と同様の効果が得られる。
【００７０】
なお、第１及び第２の実施形態では、冷却媒体排出配管５８ｂ及び１００ｂが、水平方向に延在して構成されているが、これに限定されるものではない。例えば、冷却媒体排出配管５８ｂ及び１００ｂは、それぞれ冷却媒体供給配管５８ａ及び１００ａと同様に構成してもよい。
【符号の説明】
【００７１】
１０、７０、９０…燃料電池スタック  １２…燃料電池
１８ａ、１８ｂ…エンドプレート      ２０…電解質膜・電極構造体
２２、２４…セパレータ              ２６ａ…酸化剤ガス供給連通孔
２６ｂ…酸化剤ガス排出連通孔        ２８ａ…燃料ガス供給連通孔
２８ｂ…燃料ガス排出連通孔          ３０ａ…冷却媒体供給連通孔
３０ｂ…冷却媒体排出連通孔          ３２…酸化剤ガス流路
３４…燃料ガス流路                  ３６…冷却媒体流路
３８ａ、３８ｂ…連通路              ４２…固体高分子電解質膜
４４…カソード側電極                ４６…アノード側電極
５０、７２、９２…冷却媒体供給マニホールド
５２、７４、９４…冷却媒体排出マニホールド
５４ａ、７６ａ、９６ａ…供給マニホールド部
５４ｂ、７６ｂ、９６ｂ…排出マニホールド部
５６ａ、７８ａ、９８ａ…供給連結部  ５６ｂ、７８ｂ、９８ｂ…排出連結部
５８ａ、８０ａ、１００ａ…冷却媒体供給配管
５８ｂ、８０ｂ、１００ｂ…冷却媒体排出配管
【図１】
0005714432.tif 000002
【図２】
0005714432.tif 000003
【図３】
0005714432.tif 000004
【図４】
0005714432.tif 000005
【図５】
0005714432.tif 000006
【図６】
0005714432.tif 000007
【図７】
0005714432.tif 000008
【図８】
0005714432.tif 000009
【図９】
0005714432.tif 000010